(57)【要約】      （修正有）【課題】液体の使用順序を間違えることがなく保管中に液体の混ざることがない、生産性が高く低コストな細菌等の検査キットを提供。【解決手段】下端中央に棒状突起２ａを備えたプランジャー２と、シール４を内包する第１区画室５ａを上部に設け下部にはサンプリング部材７を備えて空間内に取り付けられるカップ５と、上部に内筒６ｅと外筒６ｄを形成し内部に中空の第３区画室６ａを設け前記外筒６ｄを前記ボディ３の空間３ｂ内に螺入して連結するチューブ６とからなる液保管検査キット１。【選択図】図１
2010091479.tif 000002
【特許請求の範囲】
【請求項１】
下端に棒状突起を形成したプランジャーと、前記プランジャーを挿入するための第２区画室と空間を設けた中空のボディと、上部にシールを内包する第１区画室を設け下部にはサンプリング部材を備えて前記空間内に取り付けられるカップと、上部に内筒と外筒を形成し内部に中空の第３区画室を設け前記外筒を前記ボディの空間内に螺入して連結するチューブとからなることを特徴とする液保管検査キット。
【請求項２】
ボディを、薄膜を備えた仕切壁により内部を第２区画室と空間に分離した中空のボディとしたことを特徴とする請求項１に記載の液保管検査キット。
【請求項３】
カップを、複数リブを起立して設けたシールを内包する第１区画室を上部に設け、下部には嵌入リブを形成して、前記空間内に取り付けられるカップとしたことを特徴とする請求項１又は請求項２に記載の液保管検査キット。
【請求項４】
下端に棒状突起を備えた第２プランジャーと、下部にサンプリング部材を備え底面に孔を穿設して前記第２プランジャーを螺入するボディと、内部に第５区画室及び第６区画室を設け前記ボディを上端に連結するチューブと、上端に棒状突起を備え前記チューブの第６区画室内に挿入して連結される第１プランジャーと、薄膜を設け前記ボディ内及び第６区画室内に嵌入されるシールとからなることを特徴とする液保管検査キット。
【請求項５】
第２プランジャーを、下端に棒状突起を備え外周面にガイドボールを備えた第２プランジャーとしたことを特徴とする請求項４に記載の液保管検査キット。
【請求項６】
ボディを、底面に孔を穿設し内部に第４区画室を設けて前記第２プランジャーを螺入するボディとしたことを特徴とする請求項４又は請求項５に記載の液保管検査キット。
【請求項７】
チューブを、上部内壁面と下方の内壁面に係止凸条を形成し内部に第５区画室及び第６区画室を設け前記ボディを上端に連結するチューブとしたことを特徴とする請求項４、請求項５又は請求項６のいずれかに記載の液保管検査キット。
【請求項８】
第１プランジャーを、上端に棒状突起を備え下部に拡張部を形成し前記チューブの第６区画室内に圧入される第１プランジャーとしたことを特徴とする請求項４、請求項５、請求項６又は請求項７のいずれかに記載の液保管検査キット。
【請求項９】
シールを、外周に凸条を形成し中央に薄膜を設け前記ボディ内及び第６区画室内に嵌入されるシールとしたことを特徴とする請求項４、請求項５、請求項６、請求項７又は請求項８のいずれかに記載の液保管検査キット。
【発明の詳細な説明】
【技術分野】
【０００１】
本発明は、細菌等を検査するための検査キットに関する発明である。
【背景技術】
【０００２】
従来、細菌等を検査するための検査キットは、２種類の液体を検査キットの一極に配置し、各液体をシールで分離する方法がとられていた。
【０００３】
しかしながら、従来の検査キットではシールによって分離して保管されている各液体は順次に前記シールを折りながら分離を解除して使用されており、各液体の分離の解除方法が同じ操作であるため使用する液体の順番を間違えることがあった。
【０００４】
また、上記のように各液体が検査キットの一極に配置されていることも、使用する液体の順番の間違いを起こす原因となっていた。
【０００５】
また、一極で保管されている各液体は分離するためのシールを挟んで隣設しているためシールの精度が高いことが要求され、シールの精度が低い場合には保管中に液体が混ざる可能性があった。
【０００６】
更に、従来の検査キットでは組立の後加工として超音波溶着を必要とするためコストがかかり、生産性を高めることが難しかった。
【特許文献１】特開平１１−４２０８０号公報
【特許文献２】特開２００８−１２８７６１号公報
【発明の開示】
【発明が解決しようとする課題】
【０００７】
そこで、本発明は、使用する液体の順番を間違えることなく、各液体の分離がしっかりしているため保管中に液体が混ざる可能性が極めて低く、後加工に超音波溶着を必要としないためコストが下がり生産性が高くなる液保管検査キットを提供することを目的とするものである。
【課題を解決するための手段】
【０００８】
本発明は、上記の課題を解決するために、下端中央に棒状突起２ａを備え上部に拡張部２ｂを形成したプランジャー２と、中央に薄膜３ｄを備えた仕切壁３ｃにより内部を前記プランジャー２を挿入するための第２区画室３ａと空間３ｂに分離した中空のボディ３と、下面に複数のリブ４ａを起立して設けたシール４を内包する第１区画室５ａを上部に設け下部にはサンプリング部材７を取り付ける中央突起５ｃ及び外周に嵌入リブ５ｂを形成して前記空間３ｂ内に取り付けられるカップ５と、上部に内筒６ｅと外筒６ｄを形成し内部に中空の第３区画室６ａを設け前記外筒６ｄを前記ボディ３の空間３ｂ内に螺入して連結するチューブ６とからなることを特徴とする液保管検査キット１と、
下端中央に棒状突起８ａを備え外周面にガイドボール８ｂを備えた第２プランジャー８と、下部にサンプリング部材７を取り付けるための突起９ａを備え底面に孔９ｇを穿設し内部に第４区画室９ｃを設けて前記第２プランジャー８を螺入するボディ９と、上部内壁面と下方の内壁面に係止凸条１０ｃ、１０ｅを形成し内部に第５区画室１０ａ及び第６区画室１０ｂを設け前記ボディ９を上端に連結するチューブ１０と、上端中央に棒状突起１１ａを備え下部に拡張部１１ｂを形成し前記チューブ１０の第６区画室１０ｂ内に挿入して連結される第１プランジャー１１と、外周に凸条１２ｂを形成し中央に薄膜１２ａを設け前記ボディ９内及び第６区画室１０ｂ内に嵌入されるシール１２とからなることを特徴とする液保管検査キット１ａの構成とした。
【発明の効果】
【０００９】
本発明の液保管検査キットは、各液体の分離解除方法が異なるため、液体の分離解除をする際にどちらの液体の分離をしているかを容易に把握することができるため、液体の使用順を間違える可能性が極めて低い。
【００１０】
また、上記の構成にも拘わらず誤操作をした場合であっても、液体同士が検査キット内で混ざるだけであり、各液体が検査キット外に出ることがなく、安全に処理することができる。
【００１１】
また、各液体が一極に並んで保管されている状態では、各液体は薄膜で分けられているので混ざる心配がなく、実施例２においては各液体を両極に配置したため液体同士が勝手に混ざる可能性は極めて低い。
【００１２】
更に、後加工として必要とされていた超音波溶着の必要がなくなったため、コストが下がり生産性を上げることが可能となった。
【発明を実施するための最良の形態】
【００１３】
各液体の使用順番の誤操作がなく、液体同士が勝手に混ざる可能性が低く、液体同士が混ざった場合でも内部で混合されるに留まり外部に飛び出る心配がなく、生産コストが低い検査キットという目的を、薄膜を備えたシールで分離保管する方法又は各液体を両極に配置する方法とし、更に各液体の分離解除方法を螺合方式と押入方式に分けることによって実現した。
【実施例１】
【００１４】
先ず、図１から図４を使用して本発明である液保管検査キット１の詳細を説明することとする。図１は本発明である液保管検査キットの断面図、図２は液保管検査キットの分解断面図、図３は液保管検査キットのシールを示した図、図４は液保管検査キットのボディを示した図である。
【００１５】
図１及び図２に示すように、本発明である液保管検査キット１は、下端中央に棒状突起２ａを備え上部に拡張部２ｂを形成したプランジャー２と、中央に薄膜３ｄを備えた仕切壁３ｃにより内部を前記プランジャー２を挿入するための第２区画室３ａと空間３ｂに分離した中空のボディ３と、下面に複数のリブ４ａを起立して設けたシール４を内包する第１区画室５ａを上部に設け下部にはサンプリング部材７を取り付ける中央突起５ｃ及び外周に嵌入リブ５ｂを形成して前記空間３ｂ内に取り付けられるカップ５と、上部に内筒６ｅと外筒６ｄを形成し内部に中空の第３区画室６ａを設け前記外筒６ｄを前記ボディ３の空間３ｂ内に螺入して連結するチューブ６とからなる。
【００１６】
前記プランジャー２は内部が中空２ｃの筒状をしており、外面下端に棒状突起２ａを形成している。この棒状突起２ａはプランジャー２の下面中央に下方に向かって垂直に起立して形成されている。
【００１７】
プランジャー２の上部には拡張部２ｂが形成されており、プランジャー２において拡張部２ｂの外径が最も大きい。また、プランジャー２の外周面において、中央よりやや下、即ち前記拡張部２ｂと棒状突起２ａの中間付近には凸条２ｄが形成されている。この凸条２ｄを形成することによりプランジャー２をボディ３の第２区画室３ａに陥入した際にプランジャー２とボディ３の気密性が高くなる。
【００１８】
前記ボディ３は、中央に薄膜３ｄを形成した仕切壁３ｃにより内部が第２区画室３ａと空間３ｂに分離されており、空間３ｂの下部内壁面にはネジ山３ｅが形成されている。
【００１９】
前記仕切壁３ｃに形成された薄膜３ｄは仕切壁３ｃの中心に位置していると同時に第２区画室３ａに陥入されるプランジャー２の棒状突起２ａの延長線上にも位置している。また、薄膜３ｄの範囲は小さく、前記棒状突起２ａの先端より一回り大きい程度である。
【００２０】
図２及び図３に示すように、前記シール４は下面に複数のリブ４ａを起立して備えており、外周面に凸条４ｂが形成されている。この凸条４ｂを形成することによりシール４をカップ５の第１区画室５ａ下部に設けた嵌入部５ｅに嵌め込んだ際にシール４とカップ５がしっかりと固定される。
【００２１】
図３の下図に示すように、シール４を底面より見た場合、下面に設けられているリブ４ａは略扇状をしており円を描くように等間隔に設けられている。尚、本発明ではシール４に形成したリブ４ａを３つとしたが、特に限定したものではない。
【００２２】
図２及び図４に示すように前記カップ５は上部に第１区画室５ａを設けており、この第１区画室５ａの下部には前記シール４を嵌め込むための嵌入部５ｅが連設されている。前記第１区画室５ａの径は嵌入部５ｅよりも若干大きい。
【００２３】
一方、前記カップ５の下部には嵌入リブ５ｂが形成されており、この嵌入リブ５ｂの内側中央には内部が中空５ｇの中央突起５ｃが起立して形成されている。図４に示すように、前記中央突起５ｃは嵌入部５ｅと嵌入リブ５ｂの間のカップ５内壁面に接続部５ｈを介して接続されている。
【００２４】
図４の下図に示すように、前記接続部５ｈには、略扇状の孔５ｄが等間隔に複数穿設されているため、中央突起５ｃとカップ５の内壁面は３点で連結された状態となっている。この孔５ｄの形状は前記シールのリブ４ａとほぼ同型同大であり、リブよりも大きければ同大でなくても構わない。
【００２５】
また、前記孔５ｄの数はリブ４ａの数と同数である。即ち、各リブ４ａは対応する孔５ｄを貫通し、リブ４ａの先端が嵌入リブ５ｂと中央突起５ｃの間に突出した状態で嵌入部５ｅに嵌め込まれている。
【００２６】
図４に示すように、第１区画室５ａの外周面と嵌入リブ５ｂの外周面にはそれぞれ凸条５ｆが形成されている。第１区画室５ａの外周面に設けた凸条５ｆにより、カップ５とボディ３が高い気密性のもとでしっかりと接続され、同じく嵌入リブ５ｂの外周面に設けた凸条５ｆによりカップ５とチューブ６が高い気密性のもとでしっかりと接続される。
【００２７】
図１及び図２に示すように、前記チューブ６は上部に内筒６ｅと外筒６ｄを形成し内部に第３区画室６ａを設けている。内筒６ｅと外筒６ｄの間には嵌入溝６ｄを形成しており、この嵌入溝６ｄはカップ５の嵌入リブ５ｂを挿入するための溝である。
【００２８】
外筒６ｄの下部には拡張部６ｂが形成されており、チューブ６をボディ３に螺入した際に前記拡張部６ｂがボディ３の下端に接触する位置までチューブ６を螺入することができる。
【００２９】
前記外筒６ｄの外壁面にはガイドボール６ｃが形成されており、このガイドボール６ｃがボディ３の内壁に形成されているネジ山３ｅの溝をガイドすることでチューブ６をボディ３にスムーズに螺入することができる。
【００３０】
次に図５から図７を使用して、本発明である液保管検査キット１の使用手順を説明することとする。図５は本発明である液保管検査キットの各状態を示した断面図、図６及び図７は液保管検査キットの一部拡大断面図である。
【００３１】
図５に示すように、本発明である液保管検査キット１には２つの液が別々に保管されている（Ａの状態）。第１区画室５ａには第１液体１３、第２区画室３ａには第２液体１３ａが保管されている。
【００３２】
まずＡの状態でボディ３からチューブ６を外して嵌入部５ｃに取り付けられているサンプリング部材７を使用して採取部７ａに菌等を付着させる。
【００３３】
次に外したチューブ６を再度ボディ３と螺合し、Ａの状態よりもチューブ６をボディ３に螺入していく。図５及び図６に示すように、チューブ６の螺入を進めるとチューブ６の内筒６ｅがシール４のリブ４ａを押し、孔５ｄの蓋をしていたシール４が外れてＢの状態となる。
【００３４】
Ｂの状態では、第１区画室５ａと第３区画室６ａの間の仕切をしていたシール４が外れているため第１区画室５ａ内の第１液体１３が第３区画室６ａに移動できる状態となっているので、第１液体１３に採取部７ａを浸し、採取部７ａに付着した菌を繁殖させる。
【００３５】
次に第１液体１３内で繁殖した菌等を除菌（死滅）させるために第２液体１３ａを混合する。図５及び図７に示すように、Ｂの状態からプランジャー２を押し、プランジャー２の棒状突起２ａで仕切壁３ｃの薄膜３ｄを破る。
【００３６】
上記のように薄膜３ｄを破ることで第２区画室３ａと第１区画室５ａの仕切が取れ、第２液体１３ａが第１区画室５ａを通り、第３区画室６ａまで移動できる状態となる（Ｃの状態）。
【００３７】
Ｃの状態で第２液体１３ａを第３区画室６ａまで移動させ（Ｄの状態）、第１液体１３と混ぜて混合液体１４とし、第１液体１３の状態で繁殖した菌等を死滅させることができる。
【００３８】
以上のように、第１液体１３を使用する場合には螺入する方法で仕切を外し、第２液体１３ａを使用する段階では押入する方法で仕切を外すため、従来のような作業順番の間違いを防止することができる。
【実施例２】
【００３９】
次に、図８及び図９を使用して液保管検査キットの第２実施例を詳細に説明することとする。図８は本発明である液保管検査キットの第２実施例の断面図、図９は液保管検査キットの第２実施例の分解断面図である。
【００４０】
図８及び図９に示すように、本発明である液保管検査キット１ａは、下端中央に棒状突起８ａを備え外周面にガイドボール８ｂを備えた第２プランジャー８と、下部にサンプリング部材７を取り付けるための突起９ａを備え底面に孔９ｇを穿設し内部に第４区画室９ｃを設けて前記第２プランジャー８を螺入するボディ９と、上部内壁面と下方の内壁面に係止凸条１０ｃ、１０ｅを形成し内部に第５区画室１０ａ及び第６区画室１０ｂを設け前記ボディ９を上端に連結するチューブ１０と、上端中央に棒状突起１１ａを備え下部に拡張部１１ｂを形成し前記チューブ１０の第６区画室１０ｂ内に挿入して連結される第１プランジャー１１と、外周に凸条１２ｂを形成し中央に薄膜１２ａを設け前記ボディ９内及び第６区画室１０ｂ内に嵌入されるシール１２とからなる。
【００４１】
前記第２プランジャー８は内部が中空８ｃの筒状をしており、外面下端に棒状突起８ａを形成している。この棒状突起８ａは第２プランジャー８の下面中央に下方に向かって垂直に起立して形成されている。
【００４２】
第２プランジャー８の中央付近外周面にはボールガイド８ｂが形成されており、第２プランジャー８を前記ボディ９内に螺入する際に、ボールガイド８ｂがボディ９内のネジ山９ｂをガイドし、第２プランジャー８をボディ９にスムーズに螺入することができる。
【００４３】
前記ボディ９は中空の筒状をしており内部に第４区画室９ｃを設けている。第４区画室９ｃの下部は嵌入部９ｄを形成しており、この嵌入部９ｄの底面中央には孔９ｇが穿設されている。一方第４区画室９ｃの上部は内壁面にネジ山９ｂが形成されている。
【００４４】
前記嵌入部９ｄは第４区画室９ｃよりも径が小さく、それに伴って外周面の径も小さくなっているが、嵌入部９ｄの底面は嵌入部９ｄよりも外径を若干大きくした拡張部９ｆを設けている。
【００４５】
前記ボディ９の下面には内部が中空９ｅの突起９ａが起立して設けられており、この突起９ａにはサンプリング部材７が取り付けられる。前記突起９ａはボディ９の底面中央からズレた位置に形成されている。
【００４６】
図８及び図９に示すように、前記チューブ１０は内部が中空の筒状をしており、上部に拡張部１０ｄを形成して径が若干大きくなっている。この拡張部１０ｄの上部内壁面には係止凸条１０ｅが形成されている。
【００４７】
また、チューブ１０の拡張部１０ｄより下方は第５区画室１０ａと第６区画室１０ｂを設けており、チューブ１０の内壁面において第５区画室１０ａと第６区画室１０ｂの間の位置には係止凸条１０ｃが形成されている。
【００４８】
前記第１プランジャー１１は、内部が中空１１ｃの筒状をしており、上部中央に棒状突起１１ａを備え、下部には拡張部１１ｂが形成されている。第１プランジャー１１において拡張部１１ｂの外径が最も大きい。また、第１プランジャー１１の外周面において、中央よりやや上、即ち前記拡張部１１ｂと棒状突起１１ａの中間付近には凸条１１ｄが形成されている。この凸条１１ｄを形成することにより第１プランジャー１１をチューブ１０の第６区画室１０ｂに陥入した際に第１プランジャー１１とチューブ１０の気密性が高くなる。
【００４９】
前記シール１２は外周面に凸条１２ｂを形成し、中央には薄膜１２ａを備えている。前記シール１２のうち、一つはボディ９の嵌入部９ｄ内に嵌め込んで固定されるが、このときシール１２の薄膜１２ａと孔９ｇは延長線上に隣設している。
【００５０】
他方のシール１２はチューブ１０の第６区画室１０ｂ上部の係止凸条１０ｃの位置に嵌め込んで固定されており、シール１２より第５区画室１０ａと第６区画室１０ｂが仕切られた状態となっている。
【００５１】
次に図１０から図１２を使用して本発明である液保管検査キット１ａの使用手順を説明することとする。図１０は本発明である液保管検査キットの第２実施例の各状態を示した断面図、図１１及び図１２は液保管検査キットの第２実施例の一部拡大図である。
【００５２】
図１０に示すように、本発明である液保管検査キット１ａには２つの液が別々に保管されている（Ｅの状態）。第５区画室１０ａには第１液体１３、第４区画室９ｃには第２液体１３ａが保管されている。
【００５３】
まずＥの状態でチューブ１０からボディ９を外して突起９ａに取り付けられているサンプリング部材７を使用して採取部７ａに菌等を付着させ、チューブ１０とボディ９を再度連結し、Ｅの状態に戻す。
【００５４】
次に図１０及び図１１に示すように、第１プランジャー１１を第６区画室１０ｂ内に押し込み棒状突起１１ａでシール１２の薄膜１２ａを破る（Ｆの状態）。第６区画室１０ｂに保管されていた第１液体１３は破られたシール１２を通って第５区画室１０ａに移動し、第１液体１３に菌等の付着した採取部７ａが浸され菌が繁殖できる状態となる。
【００５５】
次に第１液体１３内で繁殖した菌等を除菌（死滅）させるために第２液体１３ａを混合する。図１０及び図１２に示すように、Ｆの状態から第２プランジャー８をボディ９の第４区画室９ｃ内に螺入し、棒状突起８ａでシール１２の薄膜１２ａを破る（Ｇの状態）。
【００５６】
第４区画室９ｃに保管されていた第２液体１３ａは破られたシール１２を通って第５区画室１０ａ内に移動し、第１液体１３と混ざり、第１液体１３内で繁殖していた菌等を死滅させることができる（Ｈの状態）。
【００５７】
以上のように、第１液体１３を使用する場合には押す方法で薄膜を破り、第２液体１３ａを使用する段階では螺入する方法で薄膜を破るため、従来のような作業順番の間違いを防止することができる。
【図面の簡単な説明】
【００５８】
【図１】本発明である液保管検査キットの第１実施例の断面図である。
【図２】本発明である液保管検査キットの第１実施例の分解断面図である。
【図３】本発明である液保管検査キットの第１実施例のシールを示した図である。
【図４】本発明である液保管検査キットの第１実施例のボディを示した図である。
【図５】本発明である液保管検査キットの第１実施例の各状態を示した断面図である。
【図６】本発明である液保管検査キットの第１実施例の一部拡大断面図である。
【図７】本発明である液保管検査キットの第１実施例の一部拡大断面図である。
【図８】本発明である液保管検査キットの第２実施例の断面図である。
【図９】本発明である液保管検査キットの第２実施例の分解断面図である。
【図１０】本発明である液保管検査キットの第２実施例の各状態を示した断面図である。
【図１１】本発明である液保管検査キットの第２実施例の一部拡大図である。
【図１２】本発明である液保管検査キットの第２実施例の一部拡大図である。
【符号の説明】
【００５９】
１      液保管検査キット
２      プランジャー
２ａ    棒状突起
２ｂ    拡張部
２ｃ    中空
２ｄ    凸条
３      ボディ
３ａ    第２区画室
３ｂ    空間
３ｃ    仕切壁
３ｄ    薄膜
３ｅ    ネジ山
４      シール
４ａ    リブ
４ｂ    凸条
５      カップ
５ａ    第１区画室
５ｂ    嵌入リブ
５ｃ    中央突起
５ｄ    孔
５ｅ    嵌入部
５ｆ    凸条
５ｇ    中空
５ｈ    接続部
６      チューブ
６ａ    第３区画室
６ｂ    拡張部
６ｃ    ガイドボール
６ｄ    嵌入溝
６ｅ    内筒
６ｆ    外筒
７      サンプリング部材
７ａ    採取部
８      第２プランジャー
８ａ    棒状突起
８ｂ    ガイドボール
８ｃ    中空
９      ボディ
９ａ    突起
９ｂ    ネジ山
９ｃ    第４区画室
９ｄ    嵌入部
９ｅ    中空
９ｆ    拡張部
９ｇ    孔
１０      チューブ
１０ａ    第５区画室
１０ｂ    第６区画室
１０ｃ    係止凸条
１０ｄ    拡張部
１０ｅ    係止凸条
１１      第１プランジャー
１１ａ    棒状突起
１１ｂ    拡張部
１１ｃ    中空
１１ｄ    凸条
１２      シール
１２ａ    薄膜
１２ｂ    凸条
１３      第１液体
１３ａ    第２液体
１４      混合液体
【図１】
2010091479.tif 000003
【図２】
2010091479.tif 000004
【図３】
2010091479.tif 000005
【図４】
2010091479.tif 000006
【図５】
2010091479.tif 000007
【図６】
2010091479.tif 000008
【図７】
2010091479.tif 000009
【図８】
2010091479.tif 000010
【図９】
2010091479.tif 000011
【図１０】
2010091479.tif 000012
【図１１】
2010091479.tif 000013
【図１２】
2010091479.tif 000014